(57)【要約】【課題】レンズをコネクタにはめ込むだけで固定でき、しかも強固な係合が可能である縁なし眼鏡を提供する。【解決手段】縁なしレンズ１，２と、ブリッジ３及びつる４，５先端のコネクタ６，７を有する縁なし眼鏡である。前記縁なしレンズ１の左右上端付近に、内方に延びるくぼみ１１を設け、このくぼみ内に少なくとも２本の貫通孔１２を設けている。前記ブリッジ３及び前記コネクタ６の表面に、本体３２，６２と先端の膨出頭部３３，６３からなる突起３１，６１を設けている。前記縁なしレンズの貫通孔１１と前記ブリッジ及び前記コネクタの突起３１，６１が嵌りあう。【選択図】図４
2011154102.tif 000002
【特許請求の範囲】
【請求項１】
縁なしレンズ（１，２）をブリッジ（３）及びつる（４，５）先端のコネクタ（６，７）に固定する方法であって、
前記縁なしレンズ（１）の左右上端付近に、内方に延びるくぼみ（１１）を設け、このくぼみ内に少なくとも２本の貫通孔（１２）を設け、
前記ブリッジ（３）及び前記コネクタ（６）の表面に、本体（３２，６２）と先端の膨出頭部（３３，６３）からなる突起（３１，６１）を前記貫通孔（１２）と同数設け、
前記縁なしレンズの貫通孔（１１）と前記ブリッジ及び前記コネクタの突起（３１，６１）を係合させる
ことを特徴とする方法。
【請求項２】
縁なしレンズ（１，２）と、ブリッジ（３）及びつる（４，５）先端のコネクタ（６，７）を有する縁なし眼鏡であって、
前記縁なしレンズ（１）は、左右上端付近に、内方に延びるくぼみ（１１）を有し、前記くぼみ（１１）には少なくとも２本の貫通孔（１２）が設けられており、
前記ブリッジ（３）及び前記コネクタ（６）の表面は、本体（３２，６２）と先端の膨出頭部（３３，６３）からなる突起（３１，６１）を前記貫通孔（１２）と同数有し、
前記縁なしレンズの貫通孔（１２）と前記ブリッジ（３）及び前記コネクタの突起（３１，６１）が係合することを特徴とする縁なし眼鏡。
【請求項３】
前記膨出頭部（３３，６３）が、互いに背を向けあうように反対方向に膨出している請求項２記載の縁なし眼鏡。
【請求項４】
前記本体（３２，６２）が、前記膨出頭部（３３，６３）の膨出方向に予め傾けて成形されている請求項３記載の縁なし眼鏡。
【発明の詳細な説明】
【技術分野】
【０００１】
本発明は、縁なし眼鏡におけるレンズの固定方法及びそれを使用した縁なし眼鏡に関する。縁なし眼鏡で使用するレンズにはガラス製のものとプラスチック製のものがあるが、本発明は、プラスチック製縁なしレンズ（例えばサングラス）の固定に最も適している。
【背景技術】
【０００２】
プラスチック製縁なし眼鏡において、レンズとブリッジ及びレンズとコネクタとを固定する方法としては、添付の図６に示すように、レンズに貫通孔を設け、この貫通孔に挿通したネジをナットで締結することにより、レンズを固定する方法が一般的である。レンズの厚みＣ１の違いに対しては、ナットの締結位置を変化させることで対応可能である。このような機構は、例えば特開２００４−２９８５５や特開２００２−２４４０８３の添付図面にも見られる。
【発明の概要】
【発明が解決しようとする課題】
【０００３】
ネジを用いてレンズを固定する方法は、予めブリッジ及びコネクタにネジを取り付けておく工程が必須であるが、この作業は精密加工を要し、生産性が悪く、製造コストを上昇させるものであった。
【０００４】
本発明では、レンズをコネクタにはめ込むだけで固定でき、しかも強固な係合が可能である縁なし眼鏡におけるレンズの固定方法を提供することを目的とする。また、それによって得られる縁なし眼鏡を提供することも目的とする。
【課題を解決するための手段】
【０００５】
請求項１の発明は、縁なしレンズをブリッジ及びつる先端のコネクタに固定する方法であって、前記縁なしレンズの左右上端付近に、内方に延びるくぼみを設け、このくぼみ内に少なくとも２本の貫通孔を設け、前記ブリッジ及び前記コネクタの表面に、本体と先端の膨出頭部からなる突起を設け、前記縁なしレンズの貫通孔と前記ブリッジ及び前記コネクタの突起を係合させることを特徴とする。
【０００６】
請求項２の発明は、縁なしレンズと、ブリッジ及びつる先端のコネクタを有する縁なし眼鏡であって、前記縁なしレンズは、左右上端付近に、内方に延びるくぼみを有し、前記くぼみには少なくとも２本の貫通孔が設けられており、前記ブリッジ及び前記コネクタの表面は、本体と先端の膨出頭部からなる突起を有し、前記縁なしレンズの貫通孔と前記ブリッジ及び前記コネクタの突起が係合することを特徴とする。
【０００７】
請求項３の発明は、請求項２の縁なし眼鏡において、前記膨出頭部が、互いに背を向けあうように反対方向に膨出しているものである。
【０００８】
請求項４記載の発明は、請求項３の縁なし眼鏡において、前記本体が、前記膨出頭部の膨出方向に予め傾けて成形されているものである。
【発明の効果】
【０００９】
請求項１及び請求項２の発明によれば、縁なしレンズの貫通孔と、ブリッジ及びコネクタのキノコ状突起を係合させると、レンズをコネクタ及びブリッジにはめ込むだけで固定できる。
【００１０】
請求項３の発明によれば、膨出頭部が、互いに背を向けあうように反対方向に膨出しているので、前記縁なしレンズの貫通孔と前記ブリッジ及び前記コネクタのキノコ状突起の結合が確かなものとなる。
【００１１】
請求項４の発明によれば、前記本体が、前記膨出頭部の膨出方向に予め傾けて成形されているので、前記縁なしレンズの貫通孔と前記ブリッジ及び前記コネクタのキノコ状突起の結合が確かなものとなる。
【図面の簡単な説明】
【００１２】
【図１】本発明の実施例１に係る縁なしサングラスの正面図である。
【図２】本発明の実施例１に係る縁なしサングラスの平面図である。
【図３】本発明の実施例１に係る縁なしサングラスレンズとコネクタの斜視図である。
【図４】本発明の実施例１に係る縁なしサングラスレンズとコネクタの結合状態を示す断面図である。
【図５】本発明の実施例１に係る縁なしサングラスのレンズとブリッジ部分の結合状態を示す平面図である。
【図６】従来技術によるレンズとコネクタの結合状態を示す断面図である。
【発明を実施するための形態】
【００１３】
以下、添付の図面に基づき、サングラスを例にして、本発明の実施例を説明する。
【実施例１】
【００１４】
図１及び２に示すように、このサングラスは、従来のサングラス同様に、左右のレンズ１，２と、左右のレンズを接続するブリッジ３と、左右のつる４，５と、つるとレンズを接続するコネクタ６，７を有する。
【００１５】
レンズ１，２とブリッジ３、及び、レンズ１，２とコネクタ６，７は、差し込みにより、固定される。
【００１６】
図３に示すように、レンズ１（及び２）には、左右上端前方側に、内方に延びる浅いくぼみ１１が設けられている。このくぼみ１１の中に２本の円筒状の貫通孔１２が形成されている。このようなくぼみ１１や貫通孔１２は、市販の三次元研削加工機により研削加工を行うことにより得られる。
【００１７】
一方、つる４（及び５）先端のコネクタ６（及び７）では、図３に示すように、レンズ側に向かって２本のキノコ状突起６１が射出成形等により一体的に形成されている。キノコ状突起６１は細長い本体６２と先端頭部６３からなる。頭部６３は、図４に示すように、互いに背を向けあうように反対方向に膨出している。本体６２は、先端が膨出する方向に予め傾けて成形しておくことが結合を強化する上で好ましい。
【００１８】
前記レンズ貫通孔１２の直径は、キノコ状突起の本体６２の直径はよりもわずかに大きく、キノコ状突起の頭部６３の直径とほぼ等しい。レンズ貫通孔１２の長さは、キノコ状突起の本体部６２の高さとほぼ等しい。
【００１９】
レンズ１とコネクタ６を結合させるには、コネクタの２本のキノコ状突起６１をレンズ１の２本の貫通孔１２に差し込むだけでよい。結合が終わると、図４の状態となり、キノコ状突起６１の頭部６３のみがレンズ１から飛び出して、抜け止めとなる。本体６２は、先端が膨出する方向に予め傾けて成形してあるので、キノコ状突起６１と貫通孔１２が強く係合する。
【００２０】
また、ブリッジ３では、図５に示すように、ブリッジ３のレンズ側左右上端からレンズ側に向かって２本のキノコ状突起３１が射出成形等により一体的に形成されている。キノコ状突起３１は細長い本体３２と先端頭部３３からなる。頭部３３は、互いに背を向けあうように反対方向に膨出している。
【００２１】
図示しないが、ブリッジ側のレンズ１側においても、内方に延びる浅いくぼみが設けられている。このくぼみの中に２本の円筒状の貫通孔が形成されている。
【００２２】
レンズ１とブリッジ３を結合させるには、ブリッジの２本のキノコ状突起３１をレンズの２本の貫通孔に差し込むだけでよい。結合が終わると、図５の状態となり、キノコ状突起の頭部のみがレンズから飛び出して、抜け止めとなる。
【先行技術文献】
【特許文献】
【００２３】
【特許文献１】特開２００４−２９８５５
【特許文献２】特開２００２−２４４０８３
【符号の説明】
【００２４】
１，２ レンズ
１１  くぼみ
１２  貫通孔
３    ブリッジ
３１  キノコ状突起
３２  突起本体
３３  先端頭部
６，７ コネクタ
６１  キノコ状突起
６２  突起本体
６３  先端頭部
【図１】
2011154102.tif 000003
【図２】
2011154102.tif 000004
【図３】
2011154102.tif 000005
【図４】
2011154102.tif 000006
【図５】
2011154102.tif 000007
【図６】
2011154102.tif 000008